(57)【要約】【課題】商品陳列棚やショーケースの蛍光灯照明は、牛肉や寿司などには赤色系灯を使うなど商品によって蛍光灯を交換して種々の色調を用いている。また低温保存が必要な陳列商品には、低温による蛍光灯の点滅防止や照度低下防止のために二重管構造にしており、より長寿命のニーズもある。この考案の目的は上記の問題点を解決し、低温空気中でも光量低下がなく長寿命で、陳列する商品に応じて発光量制御や色相制御が容易にできる陳列棚用照明光源を提供することにある。【解決手段】商品陳列棚の棚下に、赤・緑・青色発光素子組込み３色ＬＥＤランプの複数個を細長くバー状に配列したＬＥＤモジュールを単位としてＬＥＤ光源装置を構成し、同一ＬＥＤモジュール中では３色ＬＥＤランプの同色発光素子を接続して赤・緑・青回路ブロックを形成し、回路ブロック毎に電流制御を行って発光量制御または色相制御を行う。【選択図】 図1
0003131984.tif 000002
【実用新案登録請求の範囲】
【請求項１】
赤色・緑色・青色発光素子を１つのチップ内に組込んだ３色ＬＥＤランプの複数個を細長くバー状に配列してＬＥＤモジュールとし、１個または複数個のＬＥＤモジュールから構成するＬＥＤ光源装置において、ＬＥＤモジュール中の各３色ＬＥＤランプ中の同色の発光素子を直列、並列または直並列に接続して赤・緑・青回路ブロックを形成し、赤・緑・青回路ブロック毎に電流制御を行って発光量制御または色相制御を行うことを特徴とするＬＥＤ光源装置。
【請求項２】
請求項１のＬＥＤ光源装置において、商品陳列棚の棚下に反射板を含めた本ＬＥＤ光源装置を組込んだことを特徴とするＬＥＤ光源装置。
【請求項３】
請求項１または２のＬＥＤ光源装置において、複数個のＬＥＤモジュールで本ＬＥＤ光源装置を構成し、ＬＥＤモジュール毎に発光量制御または色相制御を行うことを特徴とするＬＥＤ光源装置。
【請求項４】
請求項１から３の何れかのＬＥＤ光源装置において、発光量制御は周期的に一定電流をオンオフ時間の長さを変えて制御するパルス点灯方式で行うことを特徴とするＬＥＤ光源装置。
【請求項５】
請求項１から３の何れかのＬＥＤ光源装置において、色相制御は赤・緑・青回路ブロック毎に一定電流のオンオフ時間の長さを周期的に制御するパルス点灯方式で行うことを特徴とするＬＥＤ光源装置。
【考案の詳細な説明】
【技術分野】
【０００１】
この考案は、赤色・緑色・青色発光素子を１つのチップ内に組込んだ３色ＬＥＤランプの複数個を使用したＬＥＤ光源装置に関し、詳しくは商品陳列棚の棚下に組み込んで発光量制御または色相制御を行う照明装置に関する。
【背景技術】
【０００２】
従来、衣類、熱帯魚、食品（菓子、肉や寿司だねなど）などの商品を収納し顧客に商品の実物を見せるための陳列棚、水槽やショーケースの照明は、蛍光灯を用いて棚の隅の内側に直線状に配列しているものが多い。
【０００３】
この照明に使う蛍光灯は、例えば牛肉や鮪などの赤色の強い商品は通常の昼光色型の照明では黒ずんで見えるために、赤色系色調の蛍光灯を使うなど、陳列する商品によって種々の色調を用いている。また、冷蔵保存が必要な陳列商品は、照明用の光源が冷蔵に必要な低温の空気中に置かれるために、蛍光灯の点滅防止や照度低下防止のために保温が必要で、蛍光灯を透明シールドチューブに入れて二重管の構造にするなどの対策がとられている。
【０００４】
従来の陳列棚の一例として、従来の照明装置を備える冷蔵ショーケースの縦断側面図と透明シールドチューブ付き照明装置を図５に示す。
【特許文献１】公開特許公報、特開平８−２４２９８８号
【考案の開示】
【考案が解決しようとする課題】
【０００５】
上記の蛍光灯を光源とした陳列棚は光源の光量維持と点滅防止の対策の他に点灯時の発熱と寿命の問題などもあるため、改良の余地があるものと考えられる。
【０００６】
この考案の目的は、上記の問題点を解決し、冷蔵に必要な低温の空気中でも光量低下がなく長寿命で、陳列商品により色相制御が可能な陳列棚用照明光源を提供することにある。
【課題を解決するための手段】
【０００７】
上記の課題を解決するために、この考案では、赤色・緑色・青色発光素子を１つのチップ内に組込んだ３色ＬＥＤランプ数個を細長くバー状に配列してＬＥＤモジュールとし、１個または複数個のＬＥＤモジュールから構成するＬＥＤ光源装置において、ＬＥＤモジュール中の各３色ＬＥＤランプ中の同色の発光素子を直列、並列または直並列に接続して赤・緑・青回路ブロックを形成し、赤・緑・青回路ブロック毎に電流制御を行って発光量制御または色相制御を行うこととする（請求項１）。
【０００８】
また、上記のＬＥＤ光源装置において、商品陳列棚の棚下に反射板を含めた本ＬＥＤ光源装置を組込むこととする（請求項２）。
【０００９】
さらに、上記のＬＥＤ光源装置において、複数個のＬＥＤモジュールで本ＬＥＤ光源装置を構成し、ＬＥＤモジュール毎に発光量制御または色相制御を行うこととする（請求項３）。
【００１０】
また、上記のＬＥＤ光源装置において、発光量制御は周期的に一定電流をオンオフ時間の長さを変えて制御するパルス点灯方式で行うこととする（請求項４）。
【００１１】
さらに、上記のＬＥＤ光源装置において、色相制御は赤・緑・青回路ブロック毎に一定電流のオンオフ時間の長さを周期的に制御するパルス点灯方式で行うこととする（請求項５）。
【考案の効果】
【００１２】
この考案では、請求項１のように、赤・緑・青色発光素子を１チップに組み込んだ３色ＬＥＤランプを複数個使って細長いバー状配列のＬＥＤモジュールとし、このＬＥＤモジュール中の各３色ＬＥＤランプ中の同色発光素子の接続で形成した赤・緑・青回路ブロック毎に電流制御を行うため、１個または複数個のＬＥＤモジュールから構成するＬＥＤ光源装置の発光量制御または色相制御がスムーズに行えるという効果がある。
【００１３】
請求項２のように、商品陳列棚の棚下に反射板を含めた本ＬＥＤ光源装置を組込むため、スペースを取らず、低温の空気中でも光量低下がないＬＥＤの特性のためにシールドチューブは不要である。またＬＥＤの発熱は少ないために周囲の低温空気を暖めることは少なく、その上にＬＥＤが長寿命という効果がある。
【００１４】
また、請求項３のように、複数個のＬＥＤモジュールで本ＬＥＤ光源装置を構成し、ＬＥＤモジュール毎に発光量制御または色相制御を行うため、例えば寿司だねケースの一方に鮪などの赤身の魚を他方に鯛や烏賊などの白身の魚を置いた場合でも、一方は赤色系光源、他方は白色系又は青色系光源としての色相制御ができるので、寿司種を美味しく見せるなどの効果がある。
【００１５】
請求項４と５のように、発光量制御や色相制御を例えば定格電流のオンオフ時間の長さを周期的に制御するパルス点灯方式で行うことで、ＬＥＤの電圧〜電流特性を合理的に使った制御を行える効果がある。
【考案を実施するための最良の形態】
【００１６】
図1から図４には本考案を具体化した実施例を示す。
【実施例１】
【００１７】
図１には、本考案のＬＥＤ光源装置として、（ａ）ＬＥＤ光源装置の構成、（ｂ）３色ＬＥＤランプの構成、を示す。図１（ａ）は２個のＬＥＤモジュール２０で構成した光源装置１０であり、ここには複数の３色ＬＥＤランプ３０のほかに色調切り替えスイッチ３６を設け、各３色ＬＥＤモジュールごとの色調をこのスイッチ３６で切り替え、商品陳列棚の商品を並べ替えた場合などに簡単に色調を切り替えることが出来る。なお、白色ＬＥＤランプには紫外線または青色ＬＥＤと蛍光体とで擬似白色を発光させるものもあるが、これは赤色成分が少ないためこの色相制御の用途には向ないので、図１（ｂ）のように赤・緑・青の発光素子を持つ３色ＬＥＤランプを利用する。
【実施例２】
【００１８】
図２には、本考案のＬＥＤモジュールとして、（ａ）赤・緑・青回路のブロック配線、（ｂ）ＬＥＤモジュールの制御回路のブロック配線、を示す。図２（ａ）は複数個のＬＥＤの赤（緑、青）色発光素子３１（３２，３３）を直列接続し色調切り替えスイッチ３６を設けた例で、色調切り替えスイッチ３６と調光回路３５により発光量を変えて２つの色調を選択できる。図２（ｂ）にはＬＥＤモジュールの制御回路のブロック配線の例で、上記の赤・緑・青回路と調光回路３５とＡＣアダプタ３４とで構成されている。
【実施例３】
【００１９】
図３には、本考案のＬＥＤ光源装置を反射板への取付け例として、（ａ）シリコーン系シール材を使ったＬＥＤ光源装置ユニット、（ｂ）反射板の取付け例と照明効果、を示す。図３（ａ）は広がったコの字型の反射板４１の内部平坦部にシリコーン系シール材を使ってＬＥＤモジュール１０を固定したＬＥＤ光源装置ユニット４０の例である。図３（ｂ）はこのＬＥＤ光源ユニット４０を取り付け板４３に装着し、陳列棚板７０を照明した例で、３色ＬＥＤランプの光は反射板４１により陳列棚板７０の必要とする部分だけを照明している。
【実施例４】
【００２０】
図４には、本考案の本考案のＬＥＤ光源装置を陳列棚に取付け例として、（ａ）ショーケースへの取付け例、（ｂ）寿司だねケースへの取付け例、を示す。図４（ａ）、（ｂ）とも従来の蛍光灯と同様に陳列棚板７０の上部にＬＥＤ光源ユニット４０を取り付け照明している。
【産業上の利用可能性】
【００２１】
本考案のＬＥＤ光源装置は、衣類、熱帯魚、食品（菓子、肉や寿司だねなど）などの商品を収納し顧客に商品の実物を見せるための陳列棚、水槽やショーケースの照明などに広く応用できる
【図面の簡単な説明】
【００２２】
【図１】本考案のＬＥＤ光源装置の構成を示す図（ａ）ＬＥＤ光源装置の構成（ｂ）３色ＬＥＤランプの構成
【図２】本考案のＬＥＤモジュールの回路ブロック配線を示す図（ａ）赤・緑・青回路のブロック配線（ｂ）ＬＥＤモジュールの制御回路のブロック配線
【図３】本考案のＬＥＤ光源装置を反射板への取付け例を示す図（ａ）シリコーン系シール材を使ったＬＥＤ光源装置ユニット（ｂ）反射板の取付け例と照明効果
【図４】本考案のＬＥＤ光源装置を陳列棚に取付け例を示す図（ａ）ショーケースへの取付け例（ｂ）寿司だねケースへの取付け例
【図５】従来の蛍光灯照明装置の取付け例を示す図（ａ）従来の蛍光灯照明装置を備える冷却ショーケースの縦断側面図（ｂ）透明シールドチューブ付き蛍光灯照明装置
【符号の説明】
【００２３】
１０：ＬＥＤ光源装置
２０：ＬＥＤモジュール
２１：シリコーンシール付きＬＥＤモジュール
３０：３色ＬＥＤランプ
３１：赤色発光素子、３２：緑色発光素子、３３：青色発光素子
３１Ｒ１：赤回路１ブロック、３２Ｇ１：緑回路１ブロック、３３Ｂ１：青回路１ブロック
３１Ｒ２：赤回路２ブロック、３２Ｇ２：緑回路２ブロック、３３Ｂ２：青回路２ブロック
３４：ＡＣアダプタ、３５：調光回路、３６：色調切り替えスイッチ
４０：ＬＥＤ光源装置ユニット
４１：反射板、４２：シリコーンシール、４３：取り付け板、
５０：ショーケース本体
６０：寿司だねケース本体、６１：冷媒管
７０：陳列棚板
１００：蛍光照明装置、
１０１：蛍光灯、１０２：ランプホルダ、１０３：第1シールドチューブ
１０４：第２シールドチューブ
【図１】
0003131984.tif 000003
【図２】
0003131984.tif 000004
【図３】
0003131984.tif 000005
【図４】
0003131984.tif 000006
【図５】
0003131984.tif 000007